(57)【特許請求の範囲】
【請求項１】
保持手段（４）に対する傾斜角度を調整することができる支持構造物（５）と、
ロック手段（３）と形状噛み合い及び／又は圧着で協働するがゆえに前記支持構造物（５）を各角度位置に固定する形状噛み合い接続手段（１２）と
を有するヘッドレストであって、
前記保持手段（４）はＵ字形状に設けられ、
前記形状噛み合い接続手段（１２）は前記支持構造物（５）と一体的に設けられ、
前記ロック手段（３）は前記Ｕ字形状の２つの腕部に回転可能に取り付けられるヘッドレスト。
【請求項２】
保持手段（４）に対する傾斜角度を調整することができる支持構造物（５）と、
ロック手段（３）と形状噛み合い及び／又は圧着で協働するがゆえに前記支持構造物（５）を各角度位置に固定する形状噛み合い接続手段（１２）と
を有するヘッドレストであって、
前記形状噛み合い接続手段（１２）は前記支持構造物（５）と一体的に設けられ、
前記ヘッドレストの前記支持構造物（５）を前記保持手段（４）に対する特定位置に固定する前記ロック手段（３）が、強制案内手段（１４）が設けられたばね手段（１０）に接続されるヘッドレスト。
【請求項３】
前記強制案内手段（１４）は実質的にＬ字形状となるように設けられる、請求項２に記載のヘッドレスト。
【請求項４】
前記ロック手段（３）は、前記形状噛み合い接続手段（１２）と解放可能に協働する、請求項１に記載のヘッドレスト。
【請求項５】
前記ロック手段（３）の回転軸は前記ロック手段（３）に一体的に設けられる、請求項１又は２に記載のヘッドレスト。
【請求項６】
前記支持構造物（５）には、前記形状噛み合い接続手段（１２）が、プラスチック材料の鋳造部品又は射出成形部品として設けられる、請求項１から５のいずれか一項に記載のヘッドレスト。
【請求項７】
前記ロック手段（３）がロック解除されている場合に、前記支持構造物（５）を、着座者の頭部から離れた初期位置まで自動的に引き戻すさらなるばね手段（１０、１１）を含む、請求項１から６のいずれか一項に記載のヘッドレスト。
【発明の詳細な説明】
【技術分野】
【０００１】
本発明は、保持手段、特に保持ロッドに対する支持構造物の傾斜角度を調整することができるヘッドレストに関する。
【背景技術】
【０００２】
かかるヘッドレストは、先行技術により十分によく知られているが、比較的多数のコンポーネントを有するがゆえに、取り付けが困難及び／若しくはコスト高となり、並びに／又は、ヘッドレストを各位置に固定するべくロック手段を解放するのに必要な力が、ヘッドレストの位置に応じて比較的高くなるという欠点を有する。
【先行技術文献】
【特許文献】
【０００３】
【特許文献１】独国特許第１０  ２００９  ０３６８９６（Ｂ３）号明細書
【特許文献２】欧州特許出願公開第０  ９７０  ８４６（Ａ１）号明細書
【特許文献３】独国特許出願公開第１９７  １１  ００６（Ａ１）号明細書
【発明の概要】
【発明が解決しようとする課題】
【０００４】
したがって、本発明の課題は、先行技術の欠点を有することがないヘッドレストを与えることにある。
【課題を解決するための手段】
【０００５】
本課題は、保持手段に対する傾斜角度を調整することができる支持構造物と、ロック手段と形状噛み合い及び／又は圧着で協働することにより当該支持構造物を各角度位置に固定する形状噛み合い接続手段とを有するヘッドレストであって、当該形状噛み合い接続手段は当該支持構造物と一体的に設けられるヘッドレストによって解決される。
【０００６】
本発明の本主題に関してなされる本開示が本発明の他の主題にも等しく適用され、及び、本発明の他の主題が本開示にも等しく適用される。
【０００７】
本発明は、支持構造物を有するヘッドレストに関する。当該支持構造物には、好ましくはクッションが設けられ、特に好ましくはカバーが設けられる。当該支持構造物は、例えば一以上の保持ロッドのような保持手段に対する傾斜角度を調整して各所望位置に固定することができる。これを目的として、本発明に係るヘッドレストは、保持手段に対して特に好ましくは回転可能に配列されたロック手段であって、支持構造物を各角度位置に固定するべく形状噛み合い接続手段と解放可能に協働するロック手段を含む。本発明によれば、この形状噛み合い接続手段はそのため、支持構造物と一体的に設けられる。例えば、支持構造物は、形状噛み合い接続手段と一緒に、好ましくはプラスチック材料の鋳造部品又は射出成形部品として製造される。支持構造物は好ましくは、いずれの例でもロック手段とロック可能に協働する２つの形状噛み合い接続手段、特に歯付き棒を含む。歯付き棒の歯は好ましくは、ロック解除手段がロック解除とならないままで、支持構造物がその傾斜角度を一方向に、特に着座者の頭部に向かって調整できるような形状とされる。しかしながら、ロック機構がロック解除されている場合は、傾斜の調整は反対方向にのみ可能となる。
【０００８】
保持手段は好ましくは、Ｕ字形状である。Ｕ字形状の基部が支持構造物の回転軸として機能する。Ｕ字形状の腕部は、いずれの例でもバックレストに対して、特に長手方向に変位可能に締結されるのが好ましい。長手方向の変位によってヘッドレストの高さを、着座者の要求に適応させることができる。
【０００９】
ロック手段は好ましくは、保持手段に対して回転可能に配列される。ここで、回転軸は好ましくは、ロック手段に対して、特に一体的に設けられる。その結果、必要な部品の数が低減される。回転軸まわりに回転することによってロック手段は、ロック位置からロック解除位置に及びロック解除位置からロック位置に移行される。しかしながら、ロック手段はまた、当該ロック手段をロック位置からロック解除位置にもたらすべく弾性的に曲げることもできる。
【００１０】
本発明に係るヘッドレストは好ましくは、支持構造物に設けられた形状噛み合い接続手段の方向にロック手段を付勢する少なくとも一つのばね手段を有する。
【００１１】
ロック解除手段は好ましくは、ばね手段によって作動される。このばね手段は、ロック手段がロック解除されている場合に支持構造物を、着座者の頭部から離れた初期位置まで自動的に引き戻す。
【００１２】
本発明のさらなる又は好ましい主題は、ヘッドレストの支持構造物を保持手段に対する特定位置に固定するロック手段が、強制案内手段が設けられたばね手段に接続されるヘッドレストである。
【００１３】
本発明の本主題に関してなされる本開示が本発明の他の主題にも等しく適用され、及び、本発明の他の主題が本開示にも等しく適用される。
【００１４】
本発明によれば又は好ましくは、ロック手段は、例えば当該ロック手段を形状噛み合い接続手段の方向に付勢するべく、ばね手段に接続される。ここで、ばね手段は強制的に案内される。その結果、ばね手段は、画定された経路沿いに伸び縮みする。さらに、ロック手段に作用するばね力のベクトル方向は、正確に固定される。強制案内手段は好ましくは、実質的にＬ字形状となるように設けられる。
【００１５】
ばね手段は好ましくは、一端が支持構造物に締結されかつ他端がロック手段に締結されたコイルばねである。
【００１６】
ヘッドレストは好ましくは、ロック手段がロック解除されている場合に又はロック手段がロック解除された後に、支持構造物を、着座者の頭部から離れた初期位置まで自動的に引き戻すばね手段を含む。
【００１７】
本発明は、図１〜６を参照して以下に記載される。かかる説明は、単なる例示として与えられるので、新規な着想一般を制限するものではない。
【図面の簡単な説明】
【００１８】
【図１】本発明に係るヘッドレストの個々の部品を示す。
【図２】本発明に係るヘッドレストの断面を示す。
【図３】本発明に係るヘッドレストのロック手段を示す。
【図４】ばね手段の特定の一実施形態を示す。
【図５】本発明に係るヘッドレストの個々の部品を示す。
【図６】ばね手段の強制案内手段を示す。
【発明を実施するための形態】
【００１９】
図１〜３は本発明に係るヘッドレストを示す。当該ヘッドレストは、保持手段４に対して回転可能に取り付けられた支持構造物５を含む。保持手段４は、本例ではＵ字形状に設けられた、すなわち傾斜角度が調整可能な、保持ロッドである。本例では、支持構造物５は、Ｕ字形状に設けられた保持手段の基部まわりに回転する。Ｕ字形状の２つの腕部は好ましくは、車両座席のバックレストに又は自動車本体に、長手方向に変位可能に取り付けられる。本発明に係るヘッドレストには好ましくは、例えば発泡体のようなクッション２及び／又はカバー１が設けられる。支持構造物５を各角度位置に固定可能とするべく、本発明に係るヘッドレストはロック手段３を含む。ロック手段３は、形状噛み合い接続手段１２と、本例では歯付き棒（図３及び４参照）と、形状噛み合い及び／又は圧着の態様で協働する。その結果、支持構造物５が各角度位置に固定される。本例では、２つの歯付き棒１２が設けられる。当該歯付き棒は、いずれの例でも保持手段４の左右に配列され、かつ、いずれの例でもロック手段３と協働する。本発明によれば、各形状噛み合い接続手段１２は、支持構造物５に対して一体的に接続される。支持構造物５が自動的に変位することを防止するべく及び／又はノイズの発生を防止するべく、本発明に係るヘッドレストは好ましくは、ロック手段３を形状噛み合い接続手段１２の方向に付勢する少なくとも一つの、本例では２つのばね手段１０を有する。ロック手段３は、保持手段４に対して回転可能に取り付けられ、かつ、ロック位置からロック解除位置に、本例では反時計回り方向に回転される。ロック手段の作動は、本例では、ばね手段１１によって引き起こされる。ばね手段１１の一端はロック手段３に接続され、かつ、他端は支持構造物５に接続される。その結果、支持構造物は、ロック手段がもはや歯付き棒とロック可能に協働することがなくなるとすぐに、初期位置に自動的に動かされる。この初期位置から、支持構造物はその後、着座者の頭部の方向に段付きの態様で再び傾斜することができる。ロック手段は、ロック解除手段６によって、本例では押しボタンハウジング７内に設けられた押しボタン８によって作動される。当業者であれば、他のロック解除手段も設け得ることがわかる。特に美観上の理由により、カバー手段９は好ましくは、保持手段４の領域に設けられるが、当該カバー手段はまた、本発明に係るヘッドレストに接する着座者の負傷も防止する。
【００２０】
図４は、形状噛み合い接続手段、本例では歯付き棒に対してロック装置を付勢するばね手段の特定の一実施形態を示す。本例では、当該ばね手段は、ロック手段３を歯付き棒１２の方向に押圧する弾性領域１３を含む。２つの弾性領域１３が設けられるのが好ましい。
【００２１】
図５及び６は、本発明に係るヘッドレストのさらなる一実施形態を示す。当該ヘッドレストは、保持手段４に対して回転可能に取り付けられた支持構造物５を含む。保持手段４は、本例ではＵ字形状に設けられた、すなわち傾斜角度が調整可能な、保持ロッドである。本例では、支持構造物５は、Ｕ字形状に設けられた保持手段の基部まわりに回転する。Ｕ字形状の２つの腕部は好ましくは、車両座席のバックレストに又は自動車本体に、長手方向に変位可能に取り付けられる。本発明に係るヘッドレストには好ましくは、例えば発泡体のようなクッション２及び／又はカバー１が設けられる。支持構造物５を各角度位置に固定可能とするべく、本発明に係るヘッドレストはロック手段３を含む。ロック手段３は、形状噛み合い接続手段１２と、本例では歯付き棒（図６参照）と、形状噛み合い及び／又は圧着の態様で協働する。その結果、支持構造物５が各角度位置に固定される。本例では、２つの歯付き棒１２が設けられる。当該歯付き棒は、いずれの例でも保持手段４の左右に配列され、かつ、いずれの例でもロック手段３と協働する。各形状噛み合い接続手段１２は好ましくは、支持構造物５に一体的に接続される。支持構造物５が自動的に変位することを防止するべく及び／又はノイズの発生を防止するべく、本発明に係るヘッドレストは好ましくは、ロック手段３を形状噛み合い接続手段１２の方向に付勢する少なくとも一つの、本例では２つのばね手段１０を有する。ロック手段３は、保持手段４に対して回転可能に取り付けられ、かつ、ロック位置からロック解除位置に、本例では反時計回り方向に回転される。ヘッドレストは好ましくは、さらなるばね手段１１を有する。さらなるばね手段１１は、ロック手段がもはや歯付き棒とロック可能に協働することがなくなるとすぐに、支持構造物を初期位置に自動的に動かす。この初期位置から、支持構造物はその後、着座者の頭部の方向に段付きの態様で再び傾斜することができる。ロック手段は、ロック解除手段６によって、本例では押しボタンハウジング７内に設けられた押しボタン８によって作動される。当業者であれば、他のロック解除手段も設ける得ることがわかる。特に美観上の理由により、カバー手段９は好ましくは、保持手段４の領域に設けられるが、当該カバー手段はまた、本発明に係るヘッドレストに接する着座者の負傷も防止する。
【００２２】
図６は、ばね１０の２つの可能な実施形態を示す。ここで、右側の実施形態のみが本発明による。ばね手段１０、本例ではコイルばねが、右側の実施形態において、強制案内手段１４の中に設けられる。その結果、ばね手段は、予め画定された経路に沿って伸び縮みする。ばね手段は、左側の実施形態よりも長く構成することができる。これにより、ヘッドレストをロック解除するのに必要な力が、ほんのわずかではあるが、当該調整経路に沿って増大される。さらに、ばね力がロック手段に対して作用する角度を設定することができる。この設定は、支持構造物の調整によって変えられることがない。
【符号の説明】
【００２３】
１  カバー
２  クッション、発泡体
３  ロック手段
４  保持手段、保持ロッド
５  支持構造物
６  ロック解除手段
７  押しボタンハウジング
８  押しボタン
９  カバー手段
１０  ばね手段
１１  ばね手段
１２  形状噛み合い接続手段、歯付き棒
１３  弾性領域
１４  強制案内手段
【図１】
0005807127.tif 000002
【図２】
0005807127.tif 000003
【図３】
0005807127.tif 000004
【図４】
0005807127.tif 000005
【図５】
0005807127.tif 000006
【図６】
0005807127.tif 000007